(57)【特許請求の範囲】
【請求項１】
右レンズと、
左レンズと、
前記右レンズと対向する右空間を区画する右区画板部であり、表示装置の出力する右目用の視差画像が前記右空間を通じ前記右レンズに向けて表示されるように構成された前記右区画板部と、
前記左レンズと対向する左空間を区画する左区画板部であり、表示装置の出力する左目用の視差画像が前記左空間を通じ前記左レンズに向けて表示されるように構成された前記左区画板部と、
前記右空間と前記左空間との少なくとも一方が対象空間であって、前記対象空間に位置する反射部であり、前記対象空間と対向するレンズから見て、前記対象空間を通じて表示される画像の一部を映す前記反射部と、
前記対象空間において前記反射部よりも内側に位置する仕切部と、を備え、
前記反射部は、前記対象空間を区画する区画板部の内側面に沿った筒状を有し、
前記仕切部は、前記反射部に沿った環状の部分を含み、
前記反射部と前記仕切部との間には隙間が形成され、
前記対象空間と対向するレンズから見て、前記隙間を通じて表示される画像を前記反射部が映す
３Ｄビューワ。
【請求項２】
前記右空間と前記左空間との各々が、前記対象空間であり、
前記反射部は、
前記右区画板部の内側面に沿った筒状を有する右反射部と、
前記左区画板部の内側面に沿った筒状を有する左反射部と、を含む
請求項１に記載の３Ｄビューワ。
【請求項３】
前記仕切部は、前記隙間から前記仕切部に向けた光の進行方向を前記反射部に向けて変えるように構成されている
請求項１または２に記載の３Ｄビューワ。
【請求項４】
３Ｄビューワに収納された表示装置に右目用の視差画像と左目用の視差画像とを表示させて視差画像を提供する視差画像の提供方法であって、
前記表示装置は、
前記右目用の視差画像と前記左目用の視差画像とを含む画像を表示する表示部と、
前記表示部の表示を制御する制御部と、を備え、
前記３Ｄビューワは、
右レンズと、
左レンズと、
前記右レンズと対向する右空間を区画する右区画板部であり、前記右目用の視差画像が前記右空間を通じ前記右レンズに向けて表示されるように構成された前記右区画板部と、
前記左レンズと対向する左空間を区画する左区画板部であり、前記左目用の視差画像が前記左空間を通じ前記左レンズに向けて表示されるように構成された前記左区画板部と、
前記右空間と前記左空間との少なくとも一方が対象空間であって、前記対象空間に位置する反射部であり、前記対象空間と対向するレンズから見て、前記対象空間を通じて表示される画像の一部を映す前記反射部と、を備え、
前記視差画像の提供方法は、
前記制御部が、前記右目用の視差画像を前記表示部に表示させること、
前記制御部が、前記左目用の視差画像を前記表示部に表示させること、
前記右目用の視差画像および前記左目用の視差画像の少なくとも一方が対象視差画像であり、前記制御部が、前記対象視差画像を囲む領域の少なくとも一部に位置する周辺画像を前記表示部に表示させるとともに、前記周辺画像は、前記反射部に映される画像であって、前記対象視差画像における前記周辺画像と隣接する部分の色彩に依拠した色彩を有し、かつ、前記隣接する部分よりも色彩の変化が緩やかであり、前記対象視差画像に視線を誘導するための画像であること、
を含む視差画像の提供方法。
【請求項５】
前記３Ｄビューワは、前記対象空間において前記反射部と隙間をあけて前記反射部よりも内側に位置する仕切部をさらに備え、
前記対象空間と対向するレンズから見て、前記隙間を通じて表示される画像が前記周辺画像であって、前記周辺画像を前記反射部が映す
請求項４に記載の視差画像の提供方法。
【発明の詳細な説明】
【技術分野】
【０００１】
本発明は、視差画像を見るために用いられる３Ｄビューワ、および、この３Ｄビューワを用いる視差画像の提供方法に関する。
【背景技術】
【０００２】
従来から、スマートフォン等の表示装置に取り付けられて、表示装置に表示される視差画像を見るために用いられる３Ｄビューワが知られている。こうした３Ｄビューワは、例えば、２つのレンズと、２つのレンズを表示装置の表示部から所定の距離だけ離れた位置に保持する支持部材とを備えている。表示装置の表示部には、両眼視差に応じた差異を有する右目用の視差画像と左目用の視差画像とが並べて表示され、ユーザは、３Ｄビューワのレンズを通して、右目で右目用の視差画像を見るとともに、左目で左目用の視差画像を見る。これによって、ユーザは、右目で見える視差画像と左目で見える視差画像との差異に応じた立体感を知覚し、ユーザには、画像に含まれる対象が立体的に見える（例えば特許文献１，２参照）。
【先行技術文献】
【特許文献】
【０００３】
【特許文献１】特開２０１３−１９０４５０号公報
【特許文献２】登録実用新案第３１８５４５８号公報
【発明の概要】
【発明が解決しようとする課題】
【０００４】
ところで、レンズを通して右目から見える領域には、右目用の視差画像とその周辺領域とが含まれ、レンズを通して左目から見える領域には、左目用の視差画像とその周辺領域が含まれる。こうした周辺領域には、例えば、表示装置の縁部やその縁部と隣り合う３Ｄビューワの一部という構造物が含まれる。このように、ユーザの見ている領域に画像とは異質な像が含まれていると、ユーザの意識が視差画像から逸れて、視差画像として提供されているコンテンツへのユーザの没入感が低下する。
本発明は、ユーザの没入感を高めることのできる３Ｄビューワ、および、視差画像の提供方法を提供することを目的とする。
【課題を解決するための手段】
【０００５】
上記課題を解決するための３Ｄビューワは、右レンズと、左レンズと、前記右レンズと対向する右空間を区画する右区画板部であり、表示装置の出力する右目用の視差画像が前記右空間を通じ前記右レンズに向けて表示されるように構成された前記右区画板部と、前記左レンズと対向する左空間を区画する左区画板部であり、表示装置の出力する左目用の視差画像が前記左空間を通じ前記左レンズに向けて表示されるように構成された前記左区画板部と、前記右空間と前記左空間との少なくとも一方が対象空間であって、前記対象空間に位置する反射部であり、前記対象空間と対向するレンズから見て、前記対象空間を通じて表示される画像の一部を映す前記反射部とを備える。
【０００６】
上記構成によれば、ユーザが、右レンズを通して右空間を覗くとともに、左レンズを通して左空間を覗くとき、ユーザの目に見える領域には、右空間内および左空間内の少なくとも一方で反射部が入る。そして、反射部には、右空間を通じて右レンズから見える画像、および、左空間を通じて左レンズから見える画像の少なくとも一方における一部が映る。画像の一部が映った反射部は、その画像と同質な像としてとらえられるため、ユーザの目に見える領域に、表示装置の表示する画像とは異質な像が含まれることが抑えられる。したがって、ユーザの意識が視差画像から逸れることが抑えられるため、こうした視差画像として提供されているコンテンツへのユーザの没入感が高められる。
【０００７】
上記３Ｄビューワにおいて、前記右レンズと前記左レンズとが並ぶ方向が左右方向であり、前記左右方向と直交する方向が上下方向であり、前記反射部は、前記対象空間における前記上下方向の中間よりも少なくとも下側に位置してもよい。
【０００８】
上記構成によれば、ユーザが視差画像を見るとき、ユーザから見て下側に反射部は位置する。したがって、ユーザの視界に入りやすい領域に、画像の一部が映った反射部が位置するため、ユーザの目に見える領域に表示装置の表示する画像とは異質な像が含まれることが的確に抑えられる。その結果、ユーザの没入感が的確に高められる。
【０００９】
上記３Ｄビューワにおいて、前記右空間と前記左空間との各々が、前記対象空間であり、前記反射部は、前記右区画板部の内側面に沿った筒状を有する右反射部と、前記左区画板部の内側面に沿った筒状を有する左反射部とを含んでもよい。
【００１０】
上記構成によれば、反射部が筒状を有して各区画板部の内側面に沿って配置されているため、ユーザが３Ｄビューワを用いて視差画像を見るとき、右空間を囲む方向の全体にわたり、また、左空間を囲む方向の全体にわたり、画像の一部が映った反射部が位置する。したがって、ユーザの目に見える領域に表示装置の表示する画像とは異質な像が含まれることがより的確に抑えられるため、ユーザの没入感がより的確に高められる。
【００１１】
上記３Ｄビューワは、前記対象空間において前記反射部よりも内側に位置する仕切部をさらに備え、前記反射部と前記仕切部との間には隙間が形成され、前記対象空間と対向するレンズから見て、前記隙間を通じて表示される画像を前記反射部が映してもよい。
【００１２】
上記構成によれば、ユーザが視差画像を見るとき、視差画像と対向する方向から見て、表示装置が表示する画像のなかで仕切部と反射部との間の隙間に位置する画像が反射部に映る。すなわち、表示装置が表示する画像のなかで反射部に映る部分を、仕切部によって設定することが可能となる。したがって、ユーザの没入感がより高められるように、ユーザの目に見える領域に含まれる像を３Ｄビューワによって設定することも可能となる。
上記３Ｄビューワにおいて、前記仕切部は、前記隙間から前記仕切部に向けた光の進行方向を前記反射部に向けて変えるように構成されてもよい。
上記構成によれば、反射部によって反射される光の強度を高めることが可能となり、表示装置が表示する画像が反射部に映りやすくなる。
【００１３】
上記課題を解決するための視差画像の提供方法は、３Ｄビューワに収納された表示装置に右目用の視差画像と左目用の視差画像とを表示させて視差画像を提供する視差画像の提供方法である。前記表示装置は、前記右目用の視差画像と前記左目用の視差画像とを含む画像を表示する表示部と、前記表示部の表示を制御する制御部と、を備える。前記３Ｄビューワは、右レンズと、左レンズと、前記右レンズと対向する右空間を区画する右区画板部であり、前記右目用の視差画像が前記右空間を通じ前記右レンズに向けて表示されるように構成された前記右区画板部と、前記左レンズと対向する左空間を区画する左区画板部であり、前記左目用の視差画像が前記左空間を通じ前記左レンズに向けて表示されるように構成された前記左区画板部と、前記右空間と前記左空間との少なくとも一方が対象空間であって、前記対象空間に位置する反射部であり、前記対象空間と対向するレンズから見て、前記対象空間を通じて表示される画像の一部を映す前記反射部と、を備える。前記視差画像の提供方法は、前記制御部が、前記右目用の視差画像を前記表示部に表示させること、前記制御部が、前記左目用の視差画像を前記表示部に表示させること、前記右目用の視差画像および前記左目用の視差画像の少なくとも一方が対象視差画像であり、前記制御部が、前記対象視差画像を囲む領域の少なくとも一部に位置する周辺画像を前記表示部に表示させるとともに、前記周辺画像は、前記反射部に映される画像であって、前記対象視差画像に視線を誘導するための画像であること、を含む。
【００１４】
上記方法によれば、ユーザが、右レンズを通して右空間を覗くとともに、左レンズを通して左空間を覗くとき、ユーザの目に見える領域には、右空間内および左空間内の少なくとも一方で反射部が入る。そして、反射部に映る部分に、隣接する右目用の視差画像や左目用の視差画像に視線を誘導するための周辺画像が表示される。こうした周辺画像が反射部に映ることによって、周辺画像のある部分では、右目用の視差画像や左目用の視差画像にユーザの視線が誘導されて、周辺画像および反射部が目立ってユーザの注意を惹くことが抑えられる。その結果、ユーザの目に見える領域に表示装置の表示する画像とは異質な像が含まれることが抑制されるとともに、ユーザの意識が右目用の視差画像や左目用の視差画像に集中しやすくなり、ユーザの意識がこれらの視差画像から逸れることが的確に抑えられる。したがって、こうした視差画像として提供されているコンテンツへのユーザの没入感が高められる。
【００１５】
上記視差画像の提供方法は、前記制御部が、前記周辺画像として、前記対象視差画像における前記周辺画像と隣接する部分の色彩に依拠した色彩を有し、かつ、前記隣接する部分よりも色彩の変化が緩やかである画像を前記表示部に表示させることを含んでもよい。
【００１６】
上記方法によれば、表示装置が表示する画像のうち反射部に映る部分に、隣接する右目用の視差画像や左目用の視差画像と色彩的に似た雰囲気を有し、かつ、これらの画像よりも色彩の変化が緩やかである周辺画像が表示される。こうした周辺画像が反射部に映ることによって、周辺画像のある部分では、右目用の視差画像や左目用の視差画像から周辺画像、そして、周辺画像の映った反射部へと、自然に像が続き、かつ、周辺画像および反射部が目立ってユーザの注意を惹くことが抑えられる。その結果、ユーザの意識が右目用の視差画像や左目用の視差画像から逸れることがより的確に抑えられるため、ユーザの没入感がさらに高められる。
【００１７】
上記視差画像の提供方法において、前記３Ｄビューワは、前記対象空間において前記反射部と隙間をあけて前記反射部よりも内側に位置する仕切部をさらに備え、前記対象空間と対向するレンズから見て、前記隙間を通じて表示される画像が前記周辺画像であって、前記周辺画像を前記反射部が映してもよい。
【００１８】
上記方法によれば、右目用の視差画像や左目用の視差画像が反射部に映ることが抑えられ、かつ、隣接する右目用の視差画像や左目用の視差画像に視線を誘導するための周辺画像が反射部に映る。したがって、像の映った反射部が目立ってユーザの注意を惹くことが的確に抑えられる。その結果、ユーザの意識が右画像や左画像から逸れることがより的確に抑えられるため、ユーザの没入感がさらに高められる。
【発明の効果】
【００１９】
本発明によれば、ユーザが３Ｄビューワを用いて視差画像を見る際に、ユーザの没入感を高めることができる。
【図面の簡単な説明】
【００２０】
【図１】３Ｄビューワの第１実施形態について、３Ｄビューワの斜視構造を表示装置とともに示す斜視図である。
【図２】第１実施形態の３Ｄビューワの斜視構造を示す斜視図である。
【図３】第１実施形態の３Ｄビューワの内部構造を示す図である。
【図４】第１実施形態の３Ｄビューワの組み立てられる途中の状態を示す図である。
【図５】第１実施形態の３Ｄビューワの折りたたまれた状態を示す図である。
【図６】第１実施形態における表示装置の構成を示す図である。
【図７】第１実施形態において表示装置に表示される画像を示す図である。
【図８】第１実施形態における３Ｄビューワの反射部と表示装置に表示される画像との位置関係を示す図である。
【図９】第１実施形態の３Ｄビューワの反射部に映る像の一例を示す図である。
【図１０】３Ｄビューワの第２実施形態について、３Ｄビューワの内部構造を示す図である。
【図１１】第２実施形態において表示装置に表示される画像を示す図である。
【図１２】第２実施形態における３Ｄビューワの反射部および仕切部と表示装置に表示される画像との位置関係を示す図である。
【図１３】第２実施形態における３Ｄビューワの反射部および仕切部の構成を示す図である。
【図１４】第２実施形態の３Ｄビューワの反射部に映る像の一例を示す図である。
【発明を実施するための形態】
【００２１】
（第１実施形態）
【００２２】
図１〜図９を参照して、３Ｄビューワの第１実施形態について説明する。なお、以下の説明において、前後上下左右の各向きは、ユーザが３Ｄビューワを使用している状態において、３Ｄビューワに対してユーザ側を前、ユーザと反対側を後、ユーザから見た上下左右を上下左右とする向きである。
【００２３】
［３Ｄビューワの構成］
図１〜図５を参照して、３Ｄビューワの構成について説明する。まず、図１および図２を参照して、３Ｄビューワの外観構成について説明する。本実施形態の３Ｄビューワは、表示装置に表示された画像を見るために用いられる。
【００２４】
３Ｄビューワ１０は、主として図１に示される前板部１１、上板部１３、および、右板部１５と、主として図２に示される後板部１２、下板部１４、および、左板部１６とを備えている。これらの各部は板状に形成されている。さらに、３Ｄビューワ１０は、前板部１１に取り付けられた２つのレンズである右レンズ１７と左レンズ１８とを備えている。
【００２５】
互いに対向する前板部１１と後板部１２との各々は、略同形の略長方形形状を有している。前板部１１および後板部１２の延びる方向が左右方向であり、前板部１１と後板部１２とは、左右方向と直交する前後方向に間をあけて向かい合っている。
【００２６】
互いに対向する上板部１３と下板部１４とは、前板部１１と後板部１２との間に位置している。上板部１３と下板部１４との各々は、前板部１１および後板部１２と略直交する面に沿って広がり、左右方向に延びる略長方形形状を有している。左右方向および前後方向と直交する方向が上下方向であって、上板部１３と下板部１４とは、上下方向に間をあけて向かい合っている。
【００２７】
上板部１３の前端は前板部１１の上端と接し、上板部１３の後端は後板部１２の前端とは離れてこの後板部１２の前端に沿って延びている。すなわち、上板部１３と後板部１２との間には隙間があいている。
下板部１４の前端は前板部１１の下端と接し、下板部１４の後端は、後板部１２の下端と接している。
【００２８】
互いに対向する右板部１５と左板部１６との各々は、前板部１１および後板部１２と略直交し、かつ、上板部１３および下板部１４と略直交する面に沿って広がる略同形の略長方形形状を有している。右板部１５と左板部１６とは、左右方向に間をあけて向かい合っている。
【００２９】
右板部１５は、前板部１１の右端、後板部１２の右端、上板部１３の右端、および、下板部１４の右端と接し、後板部１２から前板部１１へ向かう方向、すなわち、前方向に、前板部１１を超える位置まで延びている。
【００３０】
左板部１６は、前板部１１の左端、後板部１２の左端、上板部１３の左端、および、下板部１４の左端と接し、前方向に、前板部１１を超える位置まで延びている。
【００３１】
すなわち、３Ｄビューワ１０の外形は、前板部１１、後板部１２、上板部１３、下板部１４、右板部１５、および、左板部１６によって囲まれる箱体から、右板部１５と左板部１６とが前方向に突き出た形状を有している。
【００３２】
なお、前板部１１、後板部１２、上板部１３、下板部１４、右板部１５、および、左板部１６の各々は、その一部あるいは全部にて、複数の板状部材が重ねられた構造を有していてもよい。
【００３３】
前板部１１には、右レンズ孔１１ａと左レンズ孔１１ｂとの２つの貫通孔が、左右方向に並べて形成されている。右レンズ孔１１ａは、前板部１１の左右方向における中央部よりも右板部１５に近い位置に形成され、右レンズ１７によって塞がれている。左レンズ孔１１ｂは、前板部１１の左右方向における中央部よりも左板部１６に近い位置に形成され、左レンズ１８によって塞がれている。右レンズ孔１１ａと左レンズ孔１１ｂとの間の距離、すなわち、右レンズ１７と左レンズ１８との間の距離は、一般的な人の左右の目の間の距離に設定される。
【００３４】
前板部１１と、右レンズ１７および左レンズ１８とは、例えば、接着されていてもよいし、あるいは、前板部１１が板状部材の積層体であって、右レンズ１７および左レンズ１８は、これらの板状部材の間に挟まれて各レンズ孔１１ａ，１１ｂを塞ぐ位置に保持されていてもよい。要は、前板部１１が、右レンズ１７と左レンズ１８とを並べて保持していればよい。
【００３５】
右レンズ１７および左レンズ１８として用いられるレンズの種類は特に限定されず、表示面３０ａに表示される画像を至近距離で視認させることを可能にしたレンズであれば、例えば、樹脂から形成された凸レンズが用いられればよい。右レンズ１７と左レンズ１８とは、繋がっていてもよいし、各別の部材であってもよい。
【００３６】
前板部１１、後板部１２、下板部１４、右板部１５、および、左板部１６によって囲まれる空間は、上板部１３によって塞がれる視野空間Ｓｖと、上板部１３によって塞がれずに上方向に向かって開口する収納空間Ｓｐとに分けられる。視野空間Ｓｖと収納空間Ｓｐとは連通している。
【００３７】
収納空間Ｓｐには、表示装置３０が、表示装置３０の有する表示面３０ａを前板部１１の方に向けて、収納される。すなわち、上板部１３と後板部１２との間の隙間は、表示装置３０の厚みと同程度もしくは表示装置３０の厚みよりもやや大きく、収納空間Ｓｐは、表示装置３０を収納可能な大きさとなるように設定されている。
【００３８】
また、右レンズ１７および左レンズ１８から収納空間Ｓｐまでの距離、すなわち、表示装置３０が収納空間Ｓｐに収納された状態において、右レンズ１７および左レンズ１８から表示装置３０の表示面３０ａまでの距離が、右レンズ１７および左レンズ１８の焦点距離に応じた距離となるように、視野空間Ｓｖの大きさは設定されている。
【００３９】
そして、視野空間Ｓｖおよび収納空間Ｓｐの大きさに応じて、前板部１１、後板部１２、上板部１３、下板部１４、右板部１５、および、左板部１６の各部の大きさが設定されている。
【００４０】
次に、図３を参照して、視野空間Ｓｖの内部の構成について説明する。図３は、前板部１１と対向する方向から、前板部１１を取り除いた状態の３Ｄビューワ１０を見た図である。
図３が示すように、３Ｄビューワ１０は、視野空間Ｓｖの内部に、中板部１９と、右反射部２０と、左反射部２１とを備えている。
【００４１】
中板部１９は、右板部１５および左板部１６と略平行に広がる板状に形成され、視野空間Ｓｖの内部にて、上板部１３および下板部１４の各々と繋がっている。中板部１９によって、視野空間Ｓｖは、左右方向の中央で、右空間ＳｖＲと左空間ＳｖＬとに区画されている。
【００４２】
右空間ＳｖＲは、右板部１５、中板部１９、上板部１３、下板部１４、および、前板部１１で囲まれる空間であって、右レンズ１７と対向する。左空間ＳｖＬは、左板部１６、中板部１９、上板部１３、下板部１４、および、前板部１１で囲まれる空間であって、左レンズ１８と対向する。収納空間Ｓｐは、右空間ＳｖＲおよび左空間ＳｖＬに対して後板部１２側でこれらの空間ＳｖＲ，ＳｖＬの各々と連通している。
【００４３】
なお、上板部１３から下板部１４に向けて、収納空間Ｓｐと視野空間Ｓｖとの境界部分に、表示装置３０に対する前板部１１側から表示装置３０を支持することによって表示装置３０の位置を規制する規制部が延設されていてもよい。規制部は、表示装置３０が収納空間Ｓｐに収納されたときに、表示面３０ａと重ならない位置に配置される。
【００４４】
上記構成において、各板部のなかで、右空間ＳｖＲを区画する部分が、右区画板部２２である。すなわち、右区画板部２２は、前板部１１の一部と、右板部１５の一部と、中板部１９と、上板部１３の一部と、下板部１４の一部とから構成される。また、各板部のなかで、左空間ＳｖＬを区画する部分が、左区画板部２３である。すなわち、左区画板部２３は、前板部１１の一部と、左板部１６の一部と、中板部１９と、上板部１３の一部と、下板部１４の一部とから構成される。
【００４５】
右反射部２０は、右空間ＳｖＲの内部にて、前後方向に右区画板部２２の内側面に沿って位置する矩形筒状を有する。右反射部２０は、右区画板部２２の前後方向に延びる内側面、すなわち、右板部１５、中板部１９、上板部１３、および、下板部１４の側面に接していてもよいし、この右区画板部２２の内側面から離れて、この内側面に沿って配置されていてもよい。また、右反射部２０は、上記右区画板部２２の内側面に接する部分と、上記右区画板部２２の内側面から離れている部分とを有していてもよい。
【００４６】
右反射部２０の前後方向の幅は、右区画板部２２の前後方向の幅と同程度であることが好ましいが、右区画板部２２の前後方向の幅よりも小さくてもよい。右反射部２０の前後方向の端部のうち、後板部１２に近い方の端部、すなわち後ろ側の端部は、収納空間Ｓｐと右空間ＳｖＲの境界部分まで達している。
【００４７】
左反射部２１は、左空間ＳｖＬの内部にて、前後方向に左区画板部２３の内側面に沿って位置する矩形筒状を有する。左反射部２１は、左区画板部２３の前後方向に延びる内側面、すなわち、左板部１６、中板部１９、上板部１３、および、下板部１４の側面に接していてもよいし、この左区画板部２３の内側面から離れて、この内側面に沿って配置されていてもよい。また、左反射部２１は、上記左区画板部２３の内側面に接する部分と、上記左区画板部２３の内側面から離れている部分とを有していてもよい。
【００４８】
左反射部２１の前後方向の幅は、左区画板部２３の前後方向の幅と同程度であることが好ましいが、左区画板部２３の前後方向の幅よりも小さくてもよい。左反射部２１の前後方向の端部のうち、後板部１２に近い方の端部は、収納空間Ｓｐと左空間ＳｖＬの境界部分まで達している。
【００４９】
なお、右反射部２０や左反射部２１が、右区画板部２２や左区画板部２３の内側面から離れている場合には、右空間ＳｖＲや左空間ＳｖＬの内部に、右反射部２０や左反射部２１を支持する部材が配置されてもよい。
右反射部２０の内側面と左反射部２１の内側面とは、光を反射する機能を有する。
【００５０】
例えば、前後方向における右区画板部２２の内側面と左区画板部２３の内側面とに、光を反射する金属膜が貼り付けられることによって、これらの金属膜から右反射部２０と左反射部２１とが構成されていてもよい。あるいは、右反射部２０と左反射部２１とは、こうした金属膜が積層された紙部材もしくは樹脂部材や、鏡面加工された金属部材であって、こうした部材が、前後方向における右区画板部２２の内側面と左区画板部２３の内側面とに沿って配置されていてもよい。
【００５１】
上記構成において、前板部１１、後板部１２、上板部１３、下板部１４、左板部１６、右板部１５、および、中板部１９の材料は、特に限定されず、紙や樹脂であればよい。なお、３Ｄビューワ１０の軽量化や低コスト化が図られる観点において、これらの部材は紙から形成されて、さらに、３Ｄビューワ１０の収納性や流通性が高められる観点において、３Ｄビューワ１０はシート状に折りたたみ可能に構成されていることが好ましい。
こうした場合の３Ｄビューワ１０の構造について、図４および図５を参照して、さらに説明する。
【００５２】
図４が示すように、前板部１１は折り目線を介して下板部１４と繋がっており、後板部１２は、前板部１１とは下板部１４に対し反対側で、下板部１４と折り目線を介して繋がっている。上板部１３、下板部１４、右板部１５、および、左板部１６は、折り目線を介して環状に繋がり、１つの筒体２４を構成している。前板部１１における下板部１４に繋がる長辺と向かい合う他の長辺からは、筒体２４に嵌められる内フラップである補助板部２５が延設されている。また、後板部１２において互いに向かい合う短辺の各々にも、筒体２４に嵌められる内フラップである補助板部２６が延設されている。
【００５３】
図５が示すように、筒体２４においては、右板部１５と左板部１６とが同じ方向に倒されることによって、筒体２４が折りたたまれる。このとき、中板部１９も、右板部１５や左板部１６とともに倒される。右反射部２０と左反射部２１とは、筒体２４内に配置された状態で、筒体２４とともに倒されてもよいし、筒体２４が倒される前に筒体２４から取り外されて管理されてもよい。
【００５４】
このように、折りたたまれた状態の３Ｄビューワ１０である３Ｄビューワ形成用部材から、３Ｄビューワ１０を組み立てる際には、まず、上板部１３が下板部１４から引き上げられ、それによって、右板部１５、左板部１６、および、中板部１９が引き起こされる。右反射部２０と左反射部２１とが筒体２４から取り外されている場合には、右反射部２０が、右板部１５、中板部１９、上板部１３、および、下板部１４から構成される筒内に配置され、左反射部２１が、左板部１６、中板部１９、上板部１３、および、下板部１４から構成される筒内に配置される。そして、前板部１１が筒体２４に向かって引き起こされるように、下板部１４に対し前板部１１が折り目線で折り曲げられ、これに伴い、補助板部２５が筒体２４に嵌められる。また、後板部１２が筒体２４に向かって引き起こされるように、下板部１４に対し後板部１２が折り目線で折り曲げられ、これに伴い、補助板部２６が筒体２４に嵌められる。これにより、３Ｄビューワ１０が形成される。
【００５５】
さらに、表示装置３０が、表示装置３０の有する表示面３０ａを前板部１１の方に向けて、収納空間Ｓｐに収納されることによって、３Ｄビューワ１０と表示装置３０とを備える視差画像の提供装置が形成される。
【００５６】
ユーザは、視差画像の提供装置を顔の前に構え、右目で右レンズ１７を通して右空間ＳｖＲを覗き、左目で左レンズ１８を通して左空間ＳｖＬを覗き、こうした使用の形態で、表示装置３０の表示面３０ａに表示される画像を見る。
【００５７】
なお、３Ｄビューワ１０は、上記構成に加えて、例えば、表示装置３０の大きさに合わせて収納空間Ｓｐの大きさを調整するための凹部や凸部を有していてもよいし、収納空間Ｓｐにおける表示装置３０の位置を規制するための凹部や凸部を有していてもよい。こうした凹部や凸部は、例えば、下板部１４や右板部１５や左板部１６や後板部１２が、別途折り目線や切れ目を有し、こうした折り目線で折り曲げられることによって形成される。また、３Ｄビューワ１０の使用に際して、ユーザが右レンズ１７および左レンズ１８を通して視野空間Ｓｖを覗き込みやすくするために、３Ｄビューワ１０は、前板部１１におけるユーザの鼻部と対向する位置に形成された凹部等を有していてもよい。
［表示装置の構成］
図６および図７を参照して、３Ｄビューワ１０とともに用いられる表示装置の構成について説明する。
図６が示すように、表示装置３０は、通信部３１と、表示部３２と、制御部３３と、記憶部３４とを備え、例えばスマートフォン等の携帯端末に具体化される。
【００５８】
通信部３１は、ネットワークを通じて、表示装置３０とサーバ等の外部装置との接続処理を実行し、また、表示装置３０と外部装置との間でデータの送信および受信を行う。
【００５９】
表示部３２は、例えばディスプレイに具体化され、上記表示面３０ａを有する。表示部３２は、制御部３３から受けたデータに基づいて、表示面３０ａに画像を表示する。
【００６０】
制御部３３は、ＣＰＵやＲＡＭ等の揮発性メモリを含み、記憶部３４に記憶されたプログラムやデータに基づいて、表示装置３０の各部の制御を行う。具体的には、制御部３３は、記憶部３４に記憶されたデータ、もしくは、通信部３１が外部装置から受信したデータに基づいて、表示部３２に画像を表示させる。
記憶部３４は、フラッシュメモリ等の不揮発性メモリから構成され、制御部３３の処理に必要なプログラムやデータを記憶している。
【００６１】
なお、表示装置３０は、制御部３３が表示部３２に画像を表示させる機能を有していれば、スマートフォンに限らず、例えば、音楽プレーヤー等であってもよいし、画像の表示に特化した装置であってもよい。また、制御部３３が記憶部３４に記憶されたデータのみに基づいて表示部３２に画像を表示させる構成であれば、表示装置３０は通信部３１を有していなくてもよい。
図７を参照して、表示装置３０の制御部３３が表示部３２に表示させる画像について説明する。
【００６２】
図７が示すように、表示部３２の有する表示面３０ａは略長方形形状を有している。制御部３３から受けたデータに基づいて、表示面３０ａには、右目用の視差画像である右視差画像ＩＲと左目用の視差画像である左視差画像ＩＬとが映し出される。右視差画像ＩＲと左視差画像ＩＬとは、表示面３０ａの延びる方向に並べて配置される。右視差画像ＩＲは、表示面３０ａと対向する方向から見て、右側に配置され、左視差画像ＩＬは、表示面３０ａと対向する方向から見て、左側に配置される。
【００６３】
第１実施形態では、右視差画像ＩＲは、表示面３０ａをその延びる方向に二分割した領域の一方である右領域ＤＲの全体に表示され、左視差画像ＩＬは、上記二分割した領域の他方である左領域ＤＬの全体に表示される。すなわち、表示面３０ａと対向する方向から見て、右領域ＤＲは、右側に配置された領域であり、左領域ＤＬは、左側に配置された領域である。
右視差画像ＩＲと左視差画像ＩＬとは、静止画であっても動画であってもよく、両眼視差に応じた差異を有する。
【００６４】
［視差画像の提供装置の構成］
上述のように、３Ｄビューワ１０の収納空間Ｓｐに表示装置３０が収納されることによって、３Ｄビューワ１０と表示装置３０とを備える視差画像の提供装置が構成される。
図８を参照して、視差画像の提供装置における表示装置３０の表示面３０ａと３Ｄビューワ１０の反射部２０，２１との位置関係について説明する。
【００６５】
図８が示すように、視差画像の提供装置４０において、表示面３０ａと対向する方向から見て、表示面３０ａの右領域ＤＲは、３Ｄビューワ１０の右空間ＳｖＲと対向する位置に配置され、表示面３０ａの左領域ＤＬは、３Ｄビューワ１０の左空間ＳｖＬと対向する位置に配置される。
【００６６】
表示面３０ａと対向する方向から見て、中板部１９は、表示面３０ａの右領域ＤＲと左領域ＤＬとの境界部分に配置され、右反射部２０は、右領域ＤＲを囲む位置に配置され、左反射部２１は、左領域ＤＬを囲む位置に配置される。表示面３０ａと対向する方向から見て、右反射部２０と右領域ＤＲとの間には隙間があかないことが好ましく、左反射部２１と左領域ＤＬとの間にも隙間があかないことが好ましい。これによって、表示面３０ａと対向する方向から見て、右反射部２０は右視差画像ＩＲを囲み、左反射部２１は左視差画像ＩＬを囲む。
【００６７】
こうした構成において、視差画像の提供装置では、右視差画像ＩＲが右空間ＳｖＲを通じ右レンズ１７に向けて表示され、左視差画像ＩＬが左空間ＳｖＬを通じ左レンズ１８に向けて表示される。
【００６８】
［作用］
図９を参照して、第１実施形態の作用を説明する。図９は、視差画像の提供装置４０において、右レンズ１７を通して右空間ＳｖＲを覗いたときに見える像の一例を示す。
【００６９】
視差画像の提供装置４０の使用に際して、ユーザは、右目で右レンズ１７を通して右空間ＳｖＲを覗くことによって、右目で右視差画像ＩＲを見て、左目で左レンズ１８を通して左空間ＳｖＬを覗くことによって、左目で左視差画像ＩＬを見る。その結果、ユーザには、左右の目に見える画像の差異に応じた奥行き等の立体感が知覚され、右視差画像ＩＲおよび左視差画像ＩＬに含まれる対象が立体的に見える。
【００７０】
ここで、第１実施形態では、右空間ＳｖＲにおいて、右視差画像ＩＲの周囲に右反射部２０が配置され、左空間ＳｖＬにおいて、左視差画像ＩＬの周囲に左反射部２１が配置されている。
図９が示すように、右反射部２０には、右視差画像ＩＲの右反射部２０に近い領域、すなわち、右視差画像ＩＲの外縁部に近い領域の像が映る。
【００７１】
右反射部２０が配置されていない従来の構成では、ユーザが、右目で右レンズ１７を通して右空間ＳｖＲを覗いたときに、右目から見える領域には、右視差画像ＩＲの周辺領域が含まれ、この領域には、表示面３０ａの外側に位置する表示装置３０の縁部や３Ｄビューワ１０の一部のように、右視差画像ＩＲとは異質な像が含まれる。
【００７２】
これに対し、第１実施形態では、右視差画像ＩＲの周囲には右反射部２０が配置され、右反射部２０に、右視差画像ＩＲの一部が映る。右視差画像ＩＲの一部が映った右反射部２０は、右視差画像ＩＲにおける外縁部の鏡像であって、右視差画像ＩＲと同質な像としてユーザにはとらえられる。言い換えれば、右視差画像ＩＲと、色、明るさ、形、奥行きが同じ程度である像が、ユーザの右目の視界に入る頻度が高められ、右視差画像ＩＲとそれに類する画像の知覚量が、ユーザの右目の視野において高められる。すなわち、ユーザの右目から見える領域に右視差画像ＩＲとは異質な像が含まれることが抑えられる。
【００７３】
同様に、左視差画像ＩＬの周囲には左反射部２１が配置され、左反射部２１には左視差画像ＩＬの一部が映るため、ユーザの左目から見える領域に左視差画像ＩＬとは異質な像が含まれることが抑えられる。
【００７４】
したがって、ユーザの意識が右視差画像ＩＲおよび左視差画像ＩＬから逸れることが抑えられるため、これらの画像として提供されているコンテンツへのユーザの没入感が高められる。特に、従来は、右空間ＳｖＲと左空間ＳｖＬとを区画する機能のみを有していた区画板部２２，２３の前後方向に延びる内側面に沿った領域が、画像を映すことに利用されることによって、ユーザには、視差画像ＩＲ，ＩＬの有する世界が区画板部２２，２３の内側面にも広がったように感じられる。したがって、３Ｄビューワ１０の構造を効率的に利用して没入感を高めることが可能となる。
【００７５】
以上説明したように、第１実施形態によれば、以下の効果が得られる。
（１）ユーザが、３Ｄビューワ１０を用いて表示装置３０に表示された視差画像ＩＲ，ＩＬを見るとき、ユーザの目に見える領域には反射部２０，２１が入り、反射部２０，２１には、視差画像ＩＲ，ＩＬの一部が映る。視差画像ＩＲ，ＩＬの一部が映った反射部２０，２１は、視差画像ＩＲ，ＩＬと同質な像をユーザの目に映すため、ユーザの目に見える領域に視差画像ＩＲ，ＩＬとは異質な像が含まれることが抑えられる。したがって、ユーザの意識が視差画像ＩＲ，ＩＬから逸れることが抑えられるため、こうした視差画像ＩＲ，ＩＬとして提供されているコンテンツへのユーザの没入感が高められる。
【００７６】
（２）反射部２０，２１が、区画板部２２，２３の前後方向に延びる内側面に沿って位置する筒状を有するため、ユーザが、３Ｄビューワ１０を用いて表示装置３０に表示された視差画像ＩＲ，ＩＬを見るとき、視野空間Ｓｖ内においてユーザの目に見える領域のすべての方向に視差画像ＩＲ，ＩＬの一部が映った反射部２０，２１が位置する。したがって、ユーザの目に見える領域に視差画像ＩＲ，ＩＬとは異質な像が含まれることが的確に抑えられるため、ユーザの没入感が的確に高められる。
【００７７】
（第２実施形態）
図１０〜図１４を参照して、３Ｄビューワの第２実施形態について説明する。第２実施形態は、第１実施形態と比較して、視野空間Ｓｖの内部の構成が異なる。以下では、第１実施形態との相違点を中心に説明し、第１実施形態と同様の構成については同じ符号を付してその説明を省略する。
【００７８】
［３Ｄビューワの構成］
図１０を参照して、３Ｄビューワの構成について説明する。図１０は、前板部１１と対向する方向から、前板部１１を取り除いた状態の３Ｄビューワを見た図である。
【００７９】
図１０が示すように、３Ｄビューワ５０は、視野空間Ｓｖの内部に、中板部１９、右反射部２０、および、左反射部２１に加えて、右仕切部２７と左仕切部２８とを備えている。
【００８０】
右仕切部２７は、右空間ＳｖＲの内部にて、前後方向に延びて右反射部２０の内側に配置されている。右仕切部２７は、右反射部２０に沿った矩形環形状を有する環部２７ａと、環部２７ａの外側面における４つの角部の各々から、右反射部２０の内側面において当該角部と対向する角部に向けて延びる延設部２７ｂとを備えている。環部２７ａと右反射部２０との間には隙間があいており、延設部２７ｂにおける環部２７ａとは反対側の端部と右反射部２０とは接している。換言すれば、環部２７ａは、右区画板部２２のなかで右反射部２０に沿って位置する部分と右反射部２０に対して反対側で、右反射部２０と対向している。
【００８１】
左仕切部２８は、左空間ＳｖＬの内部にて、前後方向に延びて左反射部２１の内側に配置されている。左仕切部２８は、左反射部２１に沿った矩形環形状を有する環部２８ａと、環部２８ａの外側面における４つの角部の各々から、左反射部２１の内側面において当該角部と対向する角部に向けて延びる延設部２８ｂとを備えている。環部２８ａと左反射部２１との間には隙間があいており、延設部２８ｂにおける環部２８ａとは反対側の端部と左反射部２１とは接している。換言すれば、環部２８ａは、左区画板部２３のなかで左反射部２１に沿って位置する部分と左反射部２１に対して反対側で、左反射部２１と対向している。
右仕切部２７と左仕切部２８の材料は特に限定されないが、右仕切部２７および左仕切部２８の内側面と外側面との各々は黒色であることが好ましい。
［表示装置の構成］
図１１を参照して、第２実施形態の３Ｄビューワ５０とともに用いられる表示装置３０の制御部３３が表示部３２に表示させる画像について説明する。
【００８２】
図１１が示すように、表示面３０ａにおいて、右視差画像ＩＲは、右領域ＤＲの中央部に位置する矩形形状の領域に表示され、左視差画像ＩＬは、左領域ＤＬの中央部に位置する矩形形状の領域に表示される。右領域ＤＲにて、右視差画像ＩＲを囲む矩形枠形状の領域には、右周辺画像ＲＲが表示され、左領域ＤＬにて、左視差画像ＩＬを囲む矩形枠形状の領域には、左周辺画像ＲＬが表示される。
【００８３】
右周辺画像ＲＲは、各々が１つの方向に延びる帯状の部分である４つの枠片部Ｒｆが環状に繋がることによって構成されている。２つの枠片部Ｒｆの接続部分、すなわち、右周辺画像ＲＲの角部では、右領域ＤＲの対角線に沿って、各枠片部Ｒｆが区画されている。左周辺画像ＲＬは、各々が１つの方向に延びる帯状の部分である４つの枠片部Ｌｆが環状に繋がることによって構成されている。２つの枠片部Ｌｆの接続部分、すなわち、左周辺画像ＲＬの角部では、左領域ＤＬの対角線に沿って、各枠片部Ｌｆが区画されている。
【００８４】
右周辺画像ＲＲにおける枠片部Ｒｆの各々は、右視差画像ＩＲに視線を誘導するための画像である。枠片部Ｒｆは、例えば、右視差画像ＩＲのなかで各枠片部Ｒｆと隣接する部分である隣接部分の色彩に依拠した色彩を有し、かつ、隣接部分よりも色彩の変化が緩やかな画像である。色彩に依拠するとは、各枠片部Ｒｆが、右視差画像ＩＲにおける各枠片部Ｒｆとの隣接部分に含まれる色と同系色の色や、隣接部分に含まれる複数の色を平均化した色を含むことを意味する。そして、各枠片部Ｒｆは、隣接部分よりも色彩の変化が緩やかであり、換言すれば、隣接部分よりも、視認性の低いぼやけた画像、すなわち、画像に含まれる対象の輪郭が不鮮明な画像、あるいは、単一の色からなる画像である。また、枠片部Ｒｆは、例えば、右視差画像ＩＲから放射状に広がる線画像であってもよい。
【００８５】
また換言すれば、右周辺画像ＲＲは、右視差画像ＩＲと連続して右視差画像ＩＲを囲む領域に表示されるべき像をユーザが想起し得る画像であって、右視差画像ＩＲを囲む領域に表示されるべき像の情報を右視差画像ＩＲに準じた情報として補完する画像である。
【００８６】
同様に、左周辺画像ＲＬにおける枠片部Ｌｆの各々は、左目用の視差画像ＩＲに視線を誘導するための画像であって、例えば、左視差画像ＩＬにおける各枠片部Ｌｆとの隣接部分の色彩に依拠した色彩を有して隣接部分よりも色彩の変化が緩やかな画像である。
【００８７】
周辺画像ＲＲ，ＲＬは、静止画であっても動画であってもよく、視差画像ＩＲ，ＩＬが動画である場合には、視差画像ＩＲ，ＩＬの変化に伴って変化する動画であることが好ましい。
【００８８】
以下、右周辺画像ＲＲおよび左周辺画像ＲＬの具体例について説明する。以下の説明では、例として、右周辺画像ＲＲについて説明するが、左周辺画像ＲＬも、同様に構成される。
【００８９】
第１の例では、右周辺画像ＲＲを表示するための画像データは右視差画像ＩＲを表示するための画像データを用いた画像処理によって生成され、左周辺画像ＲＬを表示するための画像データは左視差画像ＩＬを表示するための画像データを用いた画像処理によって生成される。
【００９０】
例えば、右視差画像ＩＲのなかで、右周辺画像ＲＲの各枠片部Ｒｆと隣接するピクセル、もしくは、各枠片部Ｒｆと隣接するピクセルの周辺のピクセルから任意のピクセルが複数選択され、選択されたピクセルにおけるＲＧＢ階調値の平均値の示す色が、各枠片部Ｒｆの表示色とされる。また、上記平均値が示す色よりも、明度や彩度が下げられた色が、各枠片部Ｒｆの表示色とされてもよい。この場合、各枠片部Ｒｆは単一の色から構成される。
【００９１】
また例えば、右視差画像ＩＲのなかで、右周辺画像ＲＲの各枠片部Ｒｆと隣接するピクセル、もしくは、各枠片部Ｒｆと隣接するピクセルの周辺のピクセルに対してガウスぼかし等のぼかし処理が行われ、ぼかし処理後の画像が、必要に応じて引き伸ばされて、各枠片部Ｒｆとされる。
【００９２】
また例えば、右視差画像ＩＲが右領域ＤＲ全体まで拡大された後、右周辺画像ＲＲの配置される領域に位置する部分に上記ぼかし処理が行われ、ぼかし処理後の画像が右周辺画像ＲＲとして、拡大前の右視差画像ＩＲの周囲に配置される。
【００９３】
第２の例では、右周辺画像ＲＲを表示するための画像データは右視差画像ＩＲを表示するための画像データの生成元のデータである基本データを用いた画像処理によって生成される。また、左周辺画像ＲＬを表示するための画像データは左視差画像ＩＬを表示するための画像データの生成元のデータである基本データを用いて画像処理によって生成される。
【００９４】
具体的には、右視差画像ＩＲと左視差画像ＩＬとは、３ＤＣＧデータ等の３Ｄデータのレンダリングによって生成される。そして、３Ｄデータにおいて右視差画像ＩＲの生成元となった領域の周囲の領域のデータから生成された画像に、上記ぼかし処理が行われた画像が、右周辺画像ＲＲとされる。３Ｄデータは基本データの一例である。
【００９５】
なお、第１の例および第２の例においては、右視差画像ＩＲと右周辺画像ＲＲとから、右領域ＤＲに表示される１つの画像データに基づく画像が構成され、左視差画像ＩＬと左周辺画像ＲＬとから、左領域ＤＬに表示される１つの画像データに基づく画像が構成されればよい。
第３の例では、右周辺画像ＲＲおよび左周辺画像ＲＬは、右視差画像ＩＲおよび左視差画像ＩＬとは別の画像として、予め生成される。
【００９６】
具体的には、例えば、右視差画像ＩＲとして海の画像が用意されている場合、右周辺画像ＲＲとして、青系の色の画像が用意される。すなわち、枠片部Ｒｆの各々が、右視差画像ＩＲにおける各枠片部Ｒｆとの隣接部分の色彩に依拠した色彩を有して隣接部分よりも色彩の変化が緩やかな画像であれば、右周辺画像ＲＲは、第１の例や第２の例のような画像処理を経ずに別途設定された画像であってよい。そして、例えば、右周辺画像ＲＲの中央部分に透過処理が施された上で、右視差画像ＩＲと右周辺画像ＲＲとの各々をレイヤーとして、右視差画像ＩＲの前面に右周辺画像ＲＲが重ねられて、これらの画像が右領域ＤＲに表示される。
【００９７】
第１の例および第２の例においては、右視差画像ＩＲおよび左視差画像ＩＬが、表示装置３０の記憶部３４に記憶された画像データ、もしくは、記憶部３４に記憶された３Ｄデータから生成された画像データに基づいて表示される画像である場合には、右周辺画像ＲＲおよび左周辺画像ＲＬを表示するための画像データは、制御部３３によって生成される。また、右視差画像ＩＲおよび左視差画像ＩＬが、表示装置３０が外部装置から受信した画像データに基づいて表示される画像である場合には、右周辺画像ＲＲおよび左周辺画像ＲＬを表示するための画像データは、制御部３３によって生成されてもよいし、外部装置にて生成されて、右視差画像ＩＲおよび左視差画像ＩＬを表示するための画像データとともに外部装置から表示装置３０に送信されてもよい。
【００９８】
第３の例においては、右周辺画像ＲＲおよび左周辺画像ＲＬを表示するための画像データと右周辺画像ＲＲおよび左周辺画像ＲＬを表示するための画像データとは、記憶部３４に記憶されていてもよいし、外部装置から表示装置３０に送信されてもよい。
【００９９】
制御部３３における右視差画像ＩＲ、左視差画像ＩＬ、右周辺画像ＲＲ、および、左周辺画像ＲＬを表示部１２させる機能や、右周辺画像ＲＲおよび左周辺画像ＲＬを生成する機能を有する構成は、複数のＣＰＵや、ＲＡＭ等からなるメモリ等の各種のハードウェアによって具体化されてもよく、共通する１つのハードウェアに複数の機能を与えるソフトウェアによって具体化されてもよい。こうしたソフトウェアは、予め表示装置３０にインストールされるか、ネットワークを通じたダウンロードを経て、表示装置３０にインストールされて、記憶部３４に記憶される。
【０１００】
［視差画像の提供装置の構成］
図１２および図１３を参照して、視差画像の提供装置における表示装置３０の表示面３０ａと３Ｄビューワ５０の仕切部２７，２８との位置関係について説明する。
【０１０１】
図１２が示すように、視差画像の提供装置４０において、表示面３０ａと対向する方向から見て、右仕切部２７は、右周辺画像ＲＲの枠片部Ｒｆの縁に沿って配置され、左仕切部２８は、左周辺画像ＲＬの枠片部Ｌｆの縁に沿って配置される。
【０１０２】
詳細には、表示面３０ａと対向する方向から見て、右仕切部２７の環部２７ａは、右視差画像ＩＲと右周辺画像ＲＲとの境界部分に配置され、右仕切部２７の延設部２７ｂは、右周辺画像ＲＲにおける枠片部Ｒｆ同士の境界部分に配置される。同様に、表示面３０ａと対向する方向から見て、左仕切部２８の環部２８ａは、左視差画像ＩＬと左周辺画像ＲＬとの境界部分に配置され、左仕切部２８の延設部２８ｂは、左周辺画像ＲＬにおける枠片部Ｌｆ同士の境界部分に配置される。
【０１０３】
これによって、表示面３０ａと対向する方向から見て、右反射部２０は右周辺画像ＲＲを囲み、右仕切部２７の環部２７ａは右視差画像ＩＲを囲む。また、表示面３０ａと対向する方向から見て、左反射部２１は左周辺画像ＲＬを囲み、左仕切部２８の環部２８ａは左視差画像ＩＬを囲む。そして、表示面３０ａと対向する方向から見て、右仕切部２７の環部２７ａと右反射部２０との間に右周辺画像ＲＲが位置し、左仕切部２８の環部２８ａと左反射部２１との間に左周辺画像ＲＬが位置する。
【０１０４】
図１３が示すように、右仕切部２７の前後方向の端部のうち、後板部１２に近い方の端部は、収納空間Ｓｐと右空間ＳｖＲの境界部分まで達し、右仕切部２７の前後方向の幅は、右反射部２０の前後方向の幅よりも小さいことが好ましい。同様に、左仕切部２８の前後方向の端部のうち、後板部１２に近い方の端部は、収納空間Ｓｐと左空間ＳｖＬの境界部分まで達し、左仕切部２８の前後方向の幅は、左反射部２１の前後方向の幅よりも小さいことが好ましい。
【０１０５】
すなわち、右反射部２０の端部と右仕切部２７の端部とは、右空間ＳｖＲの内部において後板部１２側で揃えられ、左反射部２１の端部と左仕切部２８の端部とは、左空間ＳｖＬの内部において後板部１２側で揃えられる。
【０１０６】
［作用］
図１４を参照して、第２実施形態の作用を説明する。図１４は、視差画像の提供装置４０において、右レンズ１７を通して右空間ＳｖＲを覗いたときに見える像の一例を示す。
【０１０７】
第２実施形態では、表示面３０ａと対向する方向から見て、右視差画像ＩＲの周囲に右仕切部２７が配置され、右周辺画像ＲＲの周囲に右反射部２０が配置され、右仕切部２７と右反射部２０とによって挟まれる領域に右周辺画像ＲＲが位置する。同様に、表示面３０ａと対向する方向から見て、左視差画像ＩＬの周囲に左仕切部２８が配置され、左周辺画像ＲＬの周囲に左反射部２１が配置され、左仕切部２８と左反射部２１とによって挟まれる領域に左周辺画像ＲＬが位置する。
【０１０８】
こうした構成においては、右レンズ１７から見て、右反射部２０は、右仕切部２７と右反射部２０との間の隙間を通じて表示される画像、すなわち右周辺画像ＲＲを映し、左反射部２１は、左仕切部２８と左反射部２１との間の隙間を通じて表示される画像、すなわち左周辺画像ＲＬを映す。
【０１０９】
すなわち、図１４が示すように、右視差画像ＩＲと右周辺画像ＲＲとの境界には、右仕切部２７が位置し、表示面３０ａにて右視差画像ＩＲの表示されている領域から右反射部２０へ向かう光を遮るため、右視差画像ＩＲが右反射部２０に映ることは抑えられ、右反射部２０には右周辺画像ＲＲが映る。右周辺画像ＲＲは、例えば、右視差画像ＩＲにおける右周辺画像ＲＲとの隣接部分の色彩に依拠した色彩を有して隣接部分よりも色彩の変化が緩やかな画像である。換言すれば、右周辺画像ＲＲは、右視差画像ＩＲと似た雰囲気を有しつつ、右視差画像ＩＲよりも目立たない画像であって、視線を右視差画像ＩＲに誘導するための画像である。こうした構成では、右視差画像ＩＲから右周辺画像ＲＲ、そして、右周辺画像ＲＲから右周辺画像ＲＲの映った右反射部２０へと、自然に像が続き、かつ、右周辺画像ＲＲおよび右反射部２０が目立ってユーザの注意を惹くことが抑えられる。
【０１１０】
同様に、左反射部２１には左周辺画像ＲＬが映るため、左視差画像ＩＬから左周辺画像ＲＬ、そして、左周辺画像ＲＬから左周辺画像ＲＬの映った左反射部２１へと、自然に像が続き、かつ、左周辺画像ＲＬおよび左反射部２１が目立ってユーザの注意を惹くことが抑えられる。
【０１１１】
ここで、仕切部２７，２８の端部と反射部２０，２１の端部とは、視野空間Ｓｖの内部において後板部１２側で揃えられ、仕切部２７，２８の前後方向の長さは、反射部２０，２１の前後方向の長さよりも短い。そのため、視野空間Ｓｖの内部に仕切部２７，２８が配置されていても、仕切部２７，２８によってユーザの視界が過度に妨げられることが抑えられる。また、仕切部２７，２８の内側面と外側面との各々が黒色であると、仕切部２７，２８による不要な光の反射が抑えられるため、表示面３０ａに表示される画像の視認性が高められる。
【０１１２】
このように、第２実施形態では、仕切部２７，２８によって、表示装置３０に表示される画像のなかで反射部２０，２１に映る部分が設定され、この反射部２０，２１に映る部分に周辺画像ＲＲ，ＲＬが表示される。
【０１１３】
したがって、ユーザに見える領域に右視差画像ＩＲおよび左視差画像ＩＬとは異質な像が含まれることが抑えられ、さらに、ユーザの右目から見える領域にて右視差画像ＩＲの周囲に位置する像は、右視差画像ＩＲから自然に続く像であって、右視差画像ＩＲよりも注意を惹きにくい。同様に、ユーザの左目から見える領域にて左視差画像ＩＬの周囲に位置する像は、左視差画像ＩＬから自然に続く像であって、左視差画像ＩＬよりも注意を惹きにくい。それゆえ、ユーザの視線が右視差画像ＩＲおよび左視差画像ＩＬに誘導され、第１実施形態と比較して、ユーザの意識が視差画像ＩＲ，ＩＬから逸れることがより的確に抑えられるため、これらの画像として提供されているコンテンツへのユーザの没入感がさらに高められる。
【０１１４】
以上説明したように、第２実施形態によれば、第１実施形態の（１），（２）の効果に加えて、以下の効果が得られる。
（３）３Ｄビューワ５０が仕切部２７，２８を備えているため、ユーザが、３Ｄビューワ５０を用いて表示装置３０に表示された画像を見るとき、表示面３０ａと対向する方向から見て仕切部２７，２８と反射部２０，２１との間の隙間に位置する画像が反射部２０，２１に映る。すなわち、仕切部２７，２８の構造の設定によって、表示装置３０に表示される画像のなかで反射部２０，２１に映る部分を調整することが可能となる。したがって、ユーザの没入感がより高められるように、ユーザの目に見える領域に含まれる像を設定することも可能となる。
【０１１５】
（４）表示装置３０にて、右視差画像ＩＲの周囲に右周辺画像ＲＲが表示され、左視差画像ＩＬの周囲に左周辺画像ＲＬが表示される。そして、仕切部２７，２８によって、視差画像ＩＲ，ＩＬが反射部２０，２１に映ることが抑えられ、隣接する視差画像ＩＲ，ＩＬと色彩的に似た雰囲気を有しつつ、これらの視差画像ＩＲ，ＩＬよりも目立たない周辺画像ＲＲ，ＲＬが反射部２０，２１に映る。周辺画像ＲＲ，ＲＬが反射部２０，２１に映ることによって、視差画像ＩＲ，ＩＬから周辺画像ＲＲ，ＲＬ、さらに反射部２０，２１へと自然に像が続き、かつ、周辺画像ＲＲ，ＲＬおよび反射部２０，２１が目立ってユーザの注意を惹くことが抑えられる。その結果、ユーザの意識が視差画像ＩＲ，ＩＬから逸れることがより的確に抑えられるため、ユーザの没入感がさらに高められる。
【０１１６】
（変形例）
上記各実施形態は、以下のように変更して実施することが可能である。
・第２実施形態において、仕切部２７，２８は、仕切部２７，２８と反射部２０，２１との間の隙間から仕切部２７，２８に向けた光の進行方向を反射部２０，２１に向けて変えるように構成されていてもよい。例えば、右仕切部２７のなかで、右反射部２０と対向する面、すなわち、環部２７ａの外側面と、延設部２７ｂの内外面とは、金属膜の積層や鏡面加工によって光を反射する機能を有していてもよい。あるいは、右仕切部２７は、プリズムを備え、右反射部２０に向けて光を屈折させる機能を有していてもよい。
【０１１７】
こうした構成によれば、反射部２０，２１によって反射される光の強度を高めることが可能となり、仕切部２７，２８と反射部２０，２１との間の隙間を通じて表示される周辺画像ＲＲ，ＲＬが、反射部２０，２１に映りやすくなるため、上記（３），（４）の効果が高められる。
【０１１８】
また、仕切部２７，２８において、環部２７ａ，２８ａの内側面は、金属膜の積層や鏡面加工によって光を反射する機能を有していてもよい。こうした構成によれば、環部２７ａ，２８ａの内側面に視差画像ＩＲ，ＩＬの一部が映るため、ユーザの目に見える仕切部２７，２８が視差画像ＩＲ，ＩＬと同質な像として捉えられる。その結果、ユーザの没入感が高められる。
【０１１９】
・第２実施形態において、仕切部２７，２８は、反射部２０，２１と隙間をあけて配置される部分、すなわち、環部２７ａ，２８ａを有していれば、延設部２７ｂ，２８ｂを有していなくてもよく、また、延設部２７ｂ，２８ｂの位置や形状は、第２実施形態と異なっていてもよい。例えば、第２実施形態において、周辺画像ＲＲ，ＲＬの角部では、右領域ＤＲあるいは左領域ＤＬの対角線に沿って、各枠片部Ｒｆ，Ｌｆが区画されているが、周辺画像ＲＲ，ＲＬにおいて枠片部Ｒｆ，Ｌｆは２つの長い矩形とその間に挟まれる２つの短い矩形とに区画されていてもよく、延設部２７ｂ，２８ｂは、長い矩形の枠片部Ｒｆ，Ｌｆに沿って環部２７ａ，２８ａから延びていてもよい。あるいは、表示面３０ａと対向する方向から見て、延設部２７ｂ，２８ｂは、枠片部Ｒｆ，Ｌｆ同士の境界部分とは異なる位置に配置されてもよい。
【０１２０】
ただし、表示面３０ａと対向する方向から見て、延設部２７ｂ，２８ｂが、枠片部Ｒｆ，Ｌｆ同士の境界部分に配置される構成では、特に、各枠片部Ｒｆ，Ｌｆに互いに異なる色が表示される場合に、周辺画像ＲＲ，ＲＬおよび反射部２０，２１に映る像においてこれらの色の境界が目立つことが抑えられる。それゆえ、視差画像ＩＲ，ＩＬから続く像としてより自然な像が反射部２０，２１に映る。
【０１２１】
・第１実施形態の３Ｄビューワ１０が、右視差画像ＩＲ、右周辺画像ＲＲ、左視差画像ＩＬ、および、左周辺画像ＲＬを表示する表示装置３０とともに用いられてもよい。すなわち、３Ｄビューワ１０が仕切部２７，２８を有さない構成において、表示装置３０の表示面３０ａには、右視差画像ＩＲの周囲に右周辺画像ＲＲが表示され、左視差画像ＩＬの周囲に左周辺画像ＲＬが表示されてもよい。
【０１２２】
こうした構成においても、右反射部２０に映りやすい部分に右周辺画像ＲＲが位置し、左反射部２１に映りやすい部分に左周辺画像ＲＬが位置する。したがって、周辺画像ＲＲ，ＲＬが反射部２０，２１に映ることによって、視差画像ＩＲ，ＩＬから周辺画像ＲＲ，ＲＬ、さらに反射部２０，２１へと自然に像が続き、かつ、周辺画像ＲＲ，ＲＬおよび反射部２０，２１が目立ってユーザの注意を惹くことが抑えられる。その結果、ユーザの意識が視差画像ＩＲ，ＩＬから逸れることがより的確に抑えられるため、ユーザの没入感がさらに高められる。
【０１２３】
・第２実施形態の３Ｄビューワ５０が、右視差画像ＩＲおよび左視差画像ＩＬのみを表示する表示装置３０とともに用いられてもよい。すなわち、３Ｄビューワ５０が仕切部２７，２８を有する構成において、表示装置３０の表示面３０ａには、右領域ＤＲの全体に右視差画像ＩＲが表示され、左領域ＤＬの全体に左視差画像ＩＬが表示されて、右周辺画像ＲＲと左周辺画像ＲＬは表示されなくてもよい。
【０１２４】
こうした構成においても、仕切部２７，２８の構造の設定によって、表示装置３０に表示される画像のなかで反射部２０，２１に映る部分を調整することが可能となる。例えば、右視差画像ＩＲおよび左視差画像ＩＬにてコンテンツの主要部分となるキャラクターや建造物等が表示される機会の多いこれらの視差画像ＩＲ，ＩＬの中央部が、反射部２０，２１に映ることが抑えられる。これにより、視差画像ＩＲ，ＩＬの一部が映った反射部２０，２１が目立ってユーザの注意を惹くことが抑えられる。
【０１２５】
・第２実施形態において表示装置３０が表示する画像について、右周辺画像ＲＲにおける各枠片部Ｒｆの境界は明確でなくてもよく、左周辺画像ＲＬにおける各枠片部Ｌｆの境界は明確でなくてもよい。また、右視差画像ＩＲと右周辺画像ＲＲとの境界や、左視差画像ＩＬと左周辺画像ＲＬとの境界は明確でなくてもよく、例えば、これらの境界部分はグラデーションによって表現されていてもよい。
【０１２６】
・表示面３０ａと対向する方向から見て、右反射部２０の内側に右領域ＤＲの少なくとも一部が配置されれば、右反射部２０と右領域ＤＲとの間には隙間があいていてもよく、右領域ＤＲの外縁よりも内側に右反射部２０が配置されていてもよい。また、表示面３０ａと対向する方向から見て、左反射部２１の内側に左領域ＤＬの少なくとも一部が配置されれば、左反射部２１と左領域ＤＬとの間には隙間があいていてもよく、左領域ＤＬの外縁よりも内側に左反射部２１が配置されていてもよい。こうした構成においても、反射部２０，２１に、右領域ＤＲや左領域ＤＬに表示される画像の一部が映れば、反射部２０，２１が設けられていない構成と比較して、ユーザの目に見える領域に表示装置３０に表示される画像とは異質な像が含まれることは抑えられる。
【０１２７】
・上記各実施形態では、反射部２０，２１は筒状を有し、区画板部２２，２３の内側面のうち、前後方向に延びる各面に沿って、反射部２０，２１が位置している。これに限らず、反射部２０，２１は、前後方向における区画板部２２，２３の内側面の少なくとも一部に沿って位置していてもよく、また、区画板部２２，２３の内側面とは異なる形状として例えば曲面形状を有していてもよい。さらに、３Ｄビューワは、右反射部２０と左反射部２１との一方のみを有していてもよい。要は、右空間ＳｖＲと左空間ＳｖＬとの少なくとも一方である対象空間に反射部が配置されていればよい。こうした構成によっても、対象空間において反射部の設けられている部分では、反射部に、表示装置３０に表示される画像の一部が映るため、反射部が全く設けられていない構成と比較して、ユーザの目に見える領域に表示装置３０に表示される画像とは異質な像が含まれることは抑えられる。
【０１２８】
反射部２０，２１が、区画板部２２，２３の内側面の前後方向に延びる各面に沿って位置しない場合には、反射部２０，２１は、少なくとも、対象空間における上下方向の中間よりも下側に位置することが好ましく、少なくとも、下板部１４に沿って位置することが特に好ましい。すなわち、ユーザがレンズ１７，１８を通して視野空間Ｓｖを覗き込んでいる状態において、反射部２０，２１は、ユーザから見て下側に配置されることが好ましい。視野空間Ｓｖの内部において、ユーザから見て下側に位置する領域は、ユーザの視界に入りやすいため、こうした領域に、画像の一部が映った反射部２０，２１が位置することによって、ユーザの目に見える領域に表示装置３０に表示される画像とは異質な像が含まれることが的確に抑えられる。
【０１２９】
また、仕切部２７，２８は、少なくとも、反射部２０，２１の配置されている部分にのみ、反射部２０，２１と隙間をあけて配置されればよく、周辺画像ＲＲ，ＲＬは、表示面３０ａと対向する方向から見て、少なくとも、仕切部２７，２８と反射部２０，２１との間の隙間のみに配置されればよい。要は、周辺画像は、右視差画像ＩＲおよび左視差画像ＩＬの少なくとも一方である対象視差画像を囲む領域の少なくとも一部に位置して反射部に映る画像であればよい。
【０１３０】
・３Ｄビューワは、右レンズ１７および左レンズ１８と、右空間ＳｖＲを区画する右区画板部２２および左空間ＳｖＬを区画する左区画板部２３と、これらの空間ＳｖＲ，ＳｖＬの少なくとも一方に位置する反射部とを備えていれば、その他の構成は上記各実施形態とは異なっていてもよい。例えば、右板部１５や左板部１６は前板部１１よりも前方向に突き出ていなくてもよい。また、区画板部２２，２３のうち前後方向に延びる筒状部分の有する形状は、矩形筒状に限らず、例えば、円筒状や楕円筒状であってもよく、また、レンズから収納空間Ｓｐに向けて内径が小さくなる筒状であってもよい。
【符号の説明】
【０１３１】
ＩＲ…右視差画像、ＩＬ…左視差画像、ＲＲ…右周辺画像、ＲＬ…左周辺画像、Ｒｆ，Ｌｆ…枠片部、ＤＲ…右領域、ＬＲ…左領域、Ｓｐ…収納空間、Ｓｖ…視野空間、ＳｖＲ…右空間、ＳｖＬ…左空間、１０，５０…３Ｄビューワ、１１…前板部、１２…後板部、１３…上板部、１４…下板部、１５…右板部、１６…左板部、１７…右レンズ、１８…左レンズ、１９…中板部、２０…右反射部、２１…左反射部、２２…右区画板部、２３…左区画板部、２４…筒部、２７…右仕切部、２７ａ…環部、２７ｂ…延設部、２８…左仕切部、２８ａ…環部、２８ｂ…延設部、３０…表示装置、３０ａ…表示面、３１…通信部、３２…表示部、３３…制御部、３４…記憶部、４０…視差画像の提供装置。
【図１】
0006586790.tif 000002
【図２】
0006586790.tif 000003
【図３】
0006586790.tif 000004
【図４】
0006586790.tif 000005
【図５】
0006586790.tif 000006
【図６】
0006586790.tif 000007
【図７】
0006586790.tif 000008
【図８】
0006586790.tif 000009
【図９】
0006586790.tif 000010
【図１０】
0006586790.tif 000011
【図１１】
0006586790.tif 000012
【図１２】
0006586790.tif 000013
【図１３】
0006586790.tif 000014
【図１４】
0006586790.tif 000015